(57)【要約】【課題】緊急警報放送を受信したとき、装置の所在状況に応じて適切に防災情報を提示することが可能なデジタル放送受信装置を実現する。【解決手段】緊急警報放送を受信可能な可搬型のデジタル放送受信装置は、所在状況検出部（１２）、記憶部（１３）、防災情報読出部（１４）及び提示制御部（１５）を備えている。記憶部（１３）は、デジタル放送受信装置の所在状況に関する条件に対応づけられた防災情報を記憶する。所在状況検出部（１２）は、デジタル放送受信装置の所在状況を検出する。防災情報読出部（１４）は、緊急警報放送の受信があったとき、記憶部（１３）が記憶している防災情報の中から所在状況検出部（１２）によって検出された所在状況の条件を満たすものを読み出す。提示制御部（１５）は、防災情報読出部（１４）によって読み出された防災情報を提示手段（１６）を介して提示する。【選択図】図１
2008042483.tif 000002
【特許請求の範囲】
【請求項１】
緊急警報放送を受信可能な可搬型のデジタル放送受信装置であって、
当該デジタル放送受信装置の所在状況に関する条件に対応づけられた防災情報を記憶する記憶部と、
当該デジタル放送受信装置の所在状況を検出する所在状況検出部と、
緊急警報放送の受信があったとき、前記記憶部が記憶している防災情報の中から、前記所在状況検出部によって検出された所在状況の条件を満たすものを読み出す防災情報読出部と、
前記防災情報読出部によって読み出された防災情報を、提示手段を介して提示する提示制御部とを備えた
ことを特徴とするデジタル放送受信装置。
【請求項２】
請求項１に記載のデジタル放送受信装置において、
前記提示制御部は、前記所在状況検出部によって検出された所在状況に基づいて複数のユーザインタフェースの中からいずれかを選択して、当該選択したユーザインタフェースを介して前記防災情報を提示する
ことを特徴とするデジタル放送受信装置。
【請求項３】
請求項１に記載のデジタル放送受信装置において、
前記防災情報読出部は、緊急警報放送の受信があったとき、前記記憶部が記憶している防災情報の中から指示されたものを読み出す
ことを特徴とするデジタル放送受信装置。
【請求項４】
請求項１に記載のデジタル放送受信装置において、
前記所在状況は、当該デジタル放送受信装置が所在する地域を含む
ことを特徴とするデジタル放送受信装置。
【請求項５】
請求項４に記載のデジタル放送受信装置において、
前記所在状況検出部は、当該デジタル放送受信装置が受信可能なチャネルに基づいて、前記地域を検出する
ことを特徴とするデジタル放送受信装置。
【請求項６】
請求項１に記載のデジタル放送受信装置において、
前記所在状況は、当該デジタル放送受信装置の移動主体の種別を含む
ことを特徴とするデジタル放送受信装置。
【発明の詳細な説明】
【技術分野】
【０００１】
本発明は、デジタル放送受信装置に関し、特に、緊急警報放送を受信可能な可搬型のデジタル放送受信装置に関する。
【背景技術】
【０００２】
大地震や津波などの災害発生時には、放送事業者等から緊急警報放送が行われる。緊急警報放送を受信したとき、あらかじめ設定された避難場所及び連絡先等のユーザの行動を支援する防災情報を表示する緊急警報受信装置が公知である（例えば、特許文献１参照）。
【０００３】
緊急警報放送を受信するためには、テレビジョン放送受信機能を備えていることが必要である。このため、緊急警報放送の受信装置は、家庭内での据え置き型が一般的であった。近年、地上デジタル放送等の普及によりデジタルテレビジョン放送受信機能を備えた携帯電話端末等でも緊急警報放送を受信することが可能となっている。
【特許文献１】実開昭６２−１５４５９８号公報
【発明の開示】
【発明が解決しようとする課題】
【０００４】
携帯電話端末は持ち運んで使用することを前提としているため、そのときの携帯電話端末の所在地域に応じて提示すべき避難場所や連絡先等の防災情報が異なる。さらに、携帯電話端末を運んでいるもの（移動主体）が車である場合には防災情報を音声出力する方が好ましいなど、移動主体の種別によって適切な提示手段が異なる。
【０００５】
上記問題に鑑み、本発明は、装置の所在状況に応じて適切に防災情報を提示することが可能なデジタル放送受信装置を実現することを課題とする。
【課題を解決するための手段】
【０００６】
上記問題に鑑み本発明が講じた手段は、緊急警報放送を受信可能な可搬型のデジタル放送受信装置として、デジタル放送受信装置の所在状況に関する条件に対応づけられた防災情報を記憶する記憶部と、デジタル放送受信装置の所在状況を検出する所在状況検出部と、緊急警報放送の受信があったとき、記憶部が記憶している防災情報の中から、所在状況検出部によって検出された所在状況の条件を満たすものを読み出す防災情報読出部と、防災情報読出部によって読み出された防災情報を、提示手段を介して提示する提示制御部とを備えたものとする。
【０００７】
これによると、所在状況検出部によってデジタル放送受信装置の所在状況が検出され、緊急警報放送の受信があったとき、情報読出部によって当該所在状況の条件を満たす防災情報が記憶部から読み出され、提示制御部によってその防災情報が提示される。したがって、緊急警報放送を受信したとき、そのときのデジタル放送受信装置の所在状況に応じた適切な防災情報をユーザに提示することができる。
【０００８】
好ましくは、提示制御部は、所在状況検出部によって検出された所在状況に基づいて複数のユーザインタフェースの中からいずれかを選択して、当該選択したユーザインタフェースを介して防災情報を提示するものとする。
【０００９】
これによると、当該デジタル放送受信装置の所在状況に応じた適切なユーザインタフェースを介して防災情報がユーザに提示される。
【００１０】
また、好ましくは、防災情報読出部は、緊急警報放送の受信があったとき、記憶部が記憶している防災情報の中から指示されたものを読み出すものとする。
【００１１】
これによると、所在状況検出部によって検出された所在状況にかかわらず、任意の防災情報をユーザに提示することができる。
【００１２】
具体的には、所在状況は、デジタル放送受信装置が所在する地域を含むものとする。
【００１３】
より具体的には、所在状況検出部は、デジタル放送受信装置が受信可能なチャネルに基づいて地域を検出するものとする。
【００１４】
また、具体的には、前記所在状況は、デジタル放送受信装置の移動主体の種別を含むものとする。
【発明の効果】
【００１５】
以上、本発明によると、デジタル放送受信装置の所在状況に応じて適切に防災情報を提示することが可能となる。
【発明を実施するための最良の形態】
【００１６】
以下、本発明を実施するための最良の形態について、図面を参照しながら説明する。図１は、本発明に係るデジタル放送受信装置の構成の一例を示す。本装置１は、放送受信部１１、所在状況検出部１２、記憶部１３、防災情報読出部１４、提示制御部１５、ディスプレイやスピーカ等を含む提示手段１６及び入力部１７を備えた携帯電話端末である。
【００１７】
放送受信部１１は、デジタルテレビジョン放送局等から発信された放送波を受信する。図２は、放送受信部１１の構成の一例を示す。放送受信部１１は、チューナ１１１、ＴＳ（Transport Stream）デコーダ１１２、音声ＰＥＳ（Packetized Elementary Stream）処理部１１３、映像ＰＥＳ処理部１１４、データセクション処理部１１５、ＰＳＩ（Program Specific Information）処理部１１６及びＳＩ（Service Information）処理部１１７を備えている。チューナ１１１は、映像及び音声などのデータが多重化された信号であるＴＳを受信する。ＴＳデコーダ１１２は、チューナ１１１によって受信されたＴＳを音声ＰＥＳ、映像ＰＥＳ、データセクション、ＰＳＩ及びＳＩに分離する。音声ＰＥＳ処理部１１３、映像ＰＥＳ処理部１１４、データセクション処理部１１５、ＰＳＩ処理部１１６及びＳＩ処理部１１７の各部は、ＴＳデコーダ１１２によって分離された情報の処理を行う。緊急警報放送のコンテンツであるか否かは、ＰＳＩに記述された情報により識別可能となっている。
【００１８】
図１に戻って、所在状況検出部１２は、本装置１の所在状況を検出する。所在状況は、例えば、本装置１が所在する地域や本装置１の移動主体の種別等を含む。具体的には、所在状況検出部１２は、本装置１が受信可能なチャネル一覧やＧＰＳ（Global Positioning System）等を用いて取得した位置情報等から本装置１の所在地域を検出する。また、所在状況検出部１２は、自動的に又はユーザによる入力により手動的に移動主体を検出する。具体的には、本装置１が車に設置されていることが検知された場合には移動主体が車であることを検出し、入力部１７を介してユーザが電車で移動中であることを入力した場合には移動主体が電車であることを検出する。
【００１９】
記憶部１３には、防災情報が、本装置１の所在状況に関する条件に対応づけられて格納されている。図３は、記憶部１３に記憶されている防災情報の例を示す。防災情報Ａは、移動主体が共通で、所在地域が大阪である場合に提示すべき防災情報である。また、防災情報Ｂは、移動主体が電車で、所在地域が東京である場合に提示すべき防災情報である。防災情報には、例えば、図示しない防災情報取得部によって外部システムから取得した避難場所及び連絡先の他に、ユーザが設定した被災時にやるべきこと（ＴｏＤｏ）や持ち物リストなどが含まれる。ユーザは入力部１７を介して防災情報の登録又は編集が可能である。また、防災情報はあらかじめ本装置１に設定されていてもよい。
【００２０】
図１に戻り、防災情報読出部１４は、放送受信部１１が緊急警報放送を受信したとき、記憶部１３が記憶している防災情報の中から、所在状況検出部１２によって検出された所在状況の条件を満たす防災情報を読み出す。具体的には、所在状況検出部１２によって検出された所在地域が大阪で、移動主体が人（ユーザ）であるとき、防災情報読出部１４は、記憶部１３から図３に示した防災情報Ａを読み出す。
【００２１】
提示制御部１５は、所在状況検出部１２によって検出された移動主体に応じたユーザインタフェースを選択し、防災情報読出部１４が読み出した防災情報を、当該選択したユーザインタフェースによって出力可能な形式に変換してユーザに提示する。選択されるユーザインタフェースは複数であってもよい。具体的には、移動主体が車であるときスピーカを選択し、移動主体が電車であるときディスプレイを選択するといった情報があらかじめ設定されている。提示制御部１５は、所在状況検出部１２によって移動主体が車であることが検出されると、上記の情報に基づいて提示手段としてスピーカを選択し、防災情報読出部１４によって読み出された防災情報を音声出力可能な形式に変換して、スピーカを介してユーザに提示する。なお、提示制御部１５は、あらかじめユーザインタフェースが指定されている場合には、ユーザインタフェースの選択をすることなく、当該指定されたユーザインタフェースを介して防災情報をユーザに提示してもよい。
【００２２】
次に、図４に示したフローチャートを参照して、本装置１の動作の一例について説明する。放送受信部１１が緊急警報放送を受信すると（Ｓ１０１）、所在状況検出部１２によって本装置１の所在状況が検出される（Ｓ１０２）。そして、ステップＳ１０２において検出された所在状況の条件を満たす防災情報が記憶部１３から読み出される（Ｓ１０３）。また、所在状況検出部１２によって検出された所在状況に基づいて、ユーザインタフェースが選択される（Ｓ１０４）。ステップＳ１０４においてディスプレイが選択された場合（Ｓ１０５のＹＥＳ肢）、ステップＳ１０３において読み出された防災情報が表示可能な形式に変換されて（Ｓ１０６）、ディスプレイに表示される（Ｓ１０７）。
【００２３】
ディスプレイが選択されていない場合（Ｓ１０５のＮＯ肢）、又はステップＳ１０７における防災情報の表示に続いて、ステップＳ１０４においてスピーカが選択されたか否かが判定される（Ｓ１０８）。スピーカが選択された場合（Ｓ１０８のＹＥＳ肢）、ステップＳ１０３において読み出された防災情報が音声出力可能な形式に変換され（Ｓ１０９）、スピーカに出力されて（Ｓ１１０）処理が終了する。一方、スピーカが選択されていない場合には（Ｓ１０８のＮＯ肢）処理が終了する。
【００２４】
以上、本実施形態によると、緊急警報放送を受信したとき、デジタル放送受信装置の所在状況の条件を満たす防災情報が記憶部から読み出され、当該装置の所在状況に応じた適切な提示手段によりユーザに提示される。
【００２５】
なお、音声出力可能な形式や表示可能な形式の防災情報をあらかじめ記憶部１３に記憶しておいてもよい。これにより、提示制御部１５は、読み出された防災情報の形式を変換する必要がなくなるため、より迅速に防災情報をユーザに提示することが可能となる。
【００２６】
また、上述したように本装置１が防災情報取得部を備えている場合には、防災情報の取得先の情報を記憶部１３に記憶しておいて、外部のシステムから防災情報を取得してもよい。これにより、検出された所在状況の条件を満たす防災情報を記憶部１３が記憶していないときでも、防災情報を提示することができる。
【産業上の利用可能性】
【００２７】
本発明に係るデジタル放送受信装置は、当該装置の所在状況に応じて適切に防災情報を提示することができるため、デジタル放送受信機能を備えた携帯電話機やカーナビゲーションシステム等に有用である。
【図面の簡単な説明】
【００２８】
【図１】本発明に係るデジタル放送受信装置の構成の一例を示す図である。
【図２】図１に示した放送受信部の構成の一例を示す図である。
【図３】記憶部に記憶されている防災情報の例を示す図である。
【図４】図１に示したデジタル放送受信装置の動作の一例を説明するフローチャートである。
【符号の説明】
【００２９】
１  デジタル放送受信装置
１２  所在状況検出部
１３  記憶部
１４  防災情報読出部
１５  提示制御部
１６  提示手段
【図１】
2008042483.tif 000003
【図２】
2008042483.tif 000004
【図３】
2008042483.tif 000005
【図４】
2008042483.tif 000006